(57)【特許請求の範囲】
【請求項１】
屋外に設置される看板装置であって、表面に形成された非緊急情報である看板情報について昼間においては照射される太陽光によって表示させると共に夜間においては内蔵された第１バックライトから照射される照射光によって表示させる第１表示部と、当該第１表示部に並設されると共に内蔵された第２バックライトから照射される照射光によって緊急情報を表示させる第２表示部と、緊急警報信号を受信する受信部と、前記第１バックライトおよび前記第２バックライトに対する点灯消灯制御を実行する処理部とを備え、
前記処理部は、
前記受信部が前記緊急警報信号を受信していないときには、前記第２バックライトに対しては常時消灯させる制御を実行すると共に、前記第１バックライトに対しては昼間は消灯させ、かつ夜間は点灯させる制御を実行し、
前記受信部が前記緊急警報信号を受信したときには、前記第１バックライトおよび前記第２バックライトに対して点灯・消灯を繰り返す制御を実行する看板装置。
【請求項２】
前記処理部は、前記受信部が前記緊急警報信号を受信したときに、前記第１バックライトおよび前記第２バックライトに対して互いに同期した状態で点灯・消灯を繰り返す制御を実行する請求項１記載の看板装置。
【請求項３】
前記第２表示部は、前記第２バックライトの点灯時に前記緊急情報を赤色系または橙色系の色で表示させる請求項１または２記載の看板装置。
【請求項４】
前記処理部は、前記受信部が前記緊急警報信号を受信したときの前記第１バックライトに対する点灯・消灯を繰り返す制御において、夜間の点灯時よりも昼間の点灯時に高輝度で点灯させる請求項１から３のいずれかに記載の看板装置。
【発明の詳細な説明】
【技術分野】
【０００１】
本発明は、広告や施設などへの経路案内などを表示する看板機能と共に、地震や津波などの災害の発生（緊急情報）を表示する報知機能を備えている看板装置に関するものである。
【背景技術】
【０００２】
この種の看板装置として、下記の特許文献１において開示されている異種表示機能看板装置が知られている。この看板装置は、おもて面側に視覚表示層（広告や施設などへの経路案内などを表示する表示層。以下、第１視覚表示層ともいう）を有する視覚制御シートとこの視覚制御シートのうら面側に配置されたエレクトロルミネッセンス面光源とを有すると共に視覚制御シートとエレクトロルミネッセンス面光源との中間に他の視覚表示層（災害時の避難誘導案内を表示する表示層。以下、第２視覚表示層ともいう）を有してなる表示部と、太陽電池パネルおよびこの太陽電池パネルからの電力を充電する蓄電池を有する電源部と、例えば防災無線放送を受信する信号制御手段とを備えている。
【０００３】
この看板装置では、この信号制御手段からの信号をうけて、エレクトロルミネッセンス面光源の点灯／消灯または点滅の制御や、エレクトロルミネッセンス面光源の輝度の制御が実施される。また、この看板装置では、表示部が上記のような構造を有することで、表示部をおもて面側から見たときに、エレクトロルミネッセンス面光源が消灯されている間は第１視覚表示層のみが視認され、エレクトロルミネッセンス面光源が点灯されている間は、第１視覚表示層に代えて、視覚制御シートの開孔部を通して第２視覚表示層が現出する。
【０００４】
したがって、この看板装置によれば、普段は看板として表示部に通常の表示（広告や施設などへの経路案内などの表示）を行い、防災無線放送を受信したとき（災害の発生時）には、避難誘導案内を自動的に表示部に現出（表示）させることが可能となっている。
【先行技術文献】
【特許文献】
【０００５】
【特許文献１】特開２０１４−１６３９３号公報（第５−１０頁、第１−４図）
【発明の概要】
【発明が解決しようとする課題】
【０００６】
ところが、上記の看板装置には、以下の解決すべき課題が存在している。すなわち、この看板装置では、災害の発生時には、広告や経路案内などを表示する第１視覚表示層に代えて、緊急情報としての避難誘導案内を表示する第２視覚表示層を現出（表示）させる構成を採用している。したがって、この看板装置には、表示される緊急情報に人の注意を引き付け易くなるものの、本来の看板機能を発揮し得ない状態が発生するため、第１視覚表示層を協賛者による広告等とする構成においてこの協賛者の協力を得にくい場合があるという課題が存在している。
【０００７】
本発明は、かかる課題に鑑みてなされたものであり、看板機能を常時発揮させつつ人の注意を十分に引き付け得る態様で緊急情報を表示させ得る看板装置を提供することを主目的とする。
【課題を解決するための手段】
【０００８】
上記目的を達成すべく請求項１記載の看板装置は、屋外に設置される看板装置であって、表面に形成された非緊急情報である看板情報について昼間においては照射される太陽光によって表示させると共に夜間においては内蔵された第１バックライトから照射される照射光によって表示させる第１表示部と、当該第１表示部に並設されると共に内蔵された第２バックライトから照射される照射光によって緊急情報を表示させる第２表示部と、緊急警報信号を受信する受信部と、前記第１バックライトおよび前記第２バックライトに対する点灯消灯制御を実行する処理部とを備え、前記処理部は、前記受信部が前記緊急警報信号を受信していないときには、前記第２バックライトに対しては常時消灯させる制御を実行すると共に、前記第１バックライトに対しては昼間は消灯させ、かつ夜間は点灯させる制御を実行し、前記受信部が前記緊急警報信号を受信したときには、前記第１バックライトおよび前記第２バックライトに対して点灯・消灯を繰り返す制御を実行する。
【０００９】
また、請求項２記載の看板装置は、請求項１記載の看板装置において、前記処理部は、前記受信部が前記緊急警報信号を受信したときに、前記第１バックライトおよび前記第２バックライトに対して互いに同期した状態で点灯・消灯を繰り返す制御を実行する。
【００１０】
また、請求項３記載の看板装置は、請求項１または２記載の看板装置において、前記第２表示部は、前記第２バックライトの点灯時に前記緊急情報を赤色系または橙色系の色で表示させる。
【００１１】
また、請求項４記載の看板装置は、請求項１から３のいずれかに記載の看板装置において、前記処理部は、前記受信部が前記緊急警報信号を受信したときの前記第１バックライトに対する点灯・消灯を繰り返す制御において、夜間の点灯時よりも昼間の点灯時に高輝度で点灯させる。
【発明の効果】
【００１２】
請求項１記載の看板装置によれば、受信部が緊急警報信号を受信したときには、処理部が非緊急情報である看板情報表示用の第１表示部の第１バックライトおよび緊急情報表示用の第２表示部の第２バックライトに対して点灯・消灯を繰り返す点灯消灯制御を実行するため、一般的に広い面積となる第１表示部が点灯・消灯を繰り返すことにより、看板機能を常時発揮しつつ、夜間だけでなく昼間においても看板装置の付近にいる人の注意を看板装置の第１表示部および第２表示部に十分に引き付けて、付近の人に緊急警報をより確実に伝達することができる。
【００１３】
また、請求項２記載の看板装置によれば、受信部が緊急警報信号を受信したときに、第１表示部および第２表示部が同期した状態で点灯・消灯を繰り返すため、常時点灯させる態様と比較して、看板装置の付近にいる人の注意を看板装置の第１表示部および第２表示部により確実に引き付けることができる。
【００１４】
また、請求項３記載の看板装置によれば、第２表示部は、第２バックライトが点灯した際に緊急情報を、注意を喚起し易い（人の注意を引き易い）色である赤色系または橙色系の色で表示させるため、付近の人に緊急警報を一層確実に伝達することができる。
【００１５】
また、請求項４記載の看板装置によれば、処理部は、受信部が緊急警報信号を受信したときの第１バックライトに対する点灯・消灯を繰り返す制御において、夜間の点灯時よりも昼間の点灯時に高輝度で点灯させるため、昼間でも、付近の人に対して、第１表示部が点灯・消灯を繰り返していることをより確実に認識させることができることから、緊急警報をより一層確実に伝達することができる。
【図面の簡単な説明】
【００１６】
【図１】看板装置１の外観構成を示す正面図である。
【図２】看板装置１の構成を示す構成図である。
【図３】表示部２の動作を説明するための説明図である。
【図４】表示部２の動作を説明するための他の説明図である。
【図５】表示部２の動作を説明するための他の説明図である。
【発明を実施するための形態】
【００１７】
以下、看板装置の実施の形態について、添付図面を参照して説明する。
【００１８】
最初に、看板装置の一例である看板装置１の構成について、図１，２を参照して説明する。看板装置１は、図１に示すように、一例として、表示部２、太陽電池パネル３、制御ボックス４および支柱５を備え、表示部２、太陽電池パネル３および制御ボックス４が地面Ｇに設けられた土台６に立設された支柱５にそれぞれ取り付けられることで、屋外に設置される。
【００１９】
表示部２は、図１，２に示すように、表示部本体１１、パネル１２、第１バックライト１３、第２バックライト１４および駆動部１５（図２参照）を備え、支柱５の中間部に取り付けられている。表示部本体１１は、一例として、正面が開口する正面視長方形（縦長の長方形）の箱体に形成されている。
【００２０】
パネル１２は、透光性を有する樹脂材料を用いて平板状に形成されている。また、パネル１２は、表示部本体１１の正面に配設されて表示部本体１１の開口部位を閉塞する。また、パネル１２は、本例では一例として、縦方向（上下方向）に第１パネル１２ａおよび第２パネル１２ｂの２つに分割されている。
【００２１】
この第１パネル１２ａおよび第２パネル１２ｂのうちの下側に位置する第１パネル１２ａは、図１に示すように、その裏面（内面）側に配設された第１バックライト１３と共に第１表示部２ａを構成する。また、第１パネル１２ａは、パネル１２全体における多くの領域を占める広さ（上側に位置する第２パネル１２ｂよりも十分に大きな面積）に形成されている。また、第１パネル１２ａは、一例として、透光性を有する乳白色のアクリル板で構成されて、その表面（外面）には、看板情報（広告や施設などへの経路案内などを表示する情報。本例では、「△△のご用命は○○会社」の文字と共に電話およびファクシミリの電話番号）を表す文字（数字も含む）や図形や記号などが印刷またはカッティングシートによって形成されている。この構成により、第１表示部２ａは、第１パネル１２ａの表面に形成された看板情報を、昼間においては照射される太陽光によって表示させると共に、夜間においては第１パネル１２ａの裏面（内面）側に配設された第１バックライト１３が点灯した際に第１パネル１２ａに照射する照射光によって表示させる。
【００２２】
第２パネル１２ｂは、図１に示すように、その裏面（内面）側に配設された第２バックライト１４と共に第２表示部２ｂを構成する。また、第２パネル１２ｂは、一例として、半透明フィルタ機能を備えた樹脂板、およびその裏面（内面）側に配設された文字フィルム（いずれも図示せず）を備えて構成されている。この場合、本例では一例として、緊急情報を示すための文字が「地震」、「津波」、「雪崩」および「警報」の４つの熟語であることから、文字フィルムは、これらの各熟語を構成する各文字の形状に形成された表示領域（本例では一例として、注意を喚起するのに適した表示色である赤色系または橙色系の色に着色されて透光性を有する領域）が一列に並ぶと共に、この表示領域以外の領域が遮光性を有する色（例えば黒色系や緑色系や青色系の明度と共に彩度の低い色）に着色された平面視長方形のフィルムで構成されている。
【００２３】
また、本例では、第２バックライト１４は、上記した文字フィルムにおける各熟語の表示領域（「地震」、「津波」、「雪崩」および「警報」の各表示領域）の数に対応して４つのバックライト１４ａ，１４ｂ，１４ｃ，１４ｄに分割されている。この場合、バックライト１４ａは、文字フィルムにおける「地震」の表示領域の裏面（内面）側に配設され、バックライト１４ｂは、文字フィルムにおける「津波」の表示領域の裏面（内面）側に配設され、バックライト１４ｃは、文字フィルムにおける「雪崩」の表示領域の裏面（内面）側に配設され、バックライト１４ｄは、文字フィルムにおける「警報」の表示領域の裏面（内面）側に配設されている。また、各バックライト１４ａ，１４ｂ，１４ｃ，１４ｄの周囲には不図示の遮光板が配置されて、各バックライト１４ａ，１４ｂ，１４ｃ，１４ｄから対応する表示領域に照射される照射光が隣の表示領域に漏れ出さない構成となっている。
【００２４】
この構成により、第２表示部２ｂは、第２パネル１２ｂに形成された緊急情報を、昼夜を問わず、第２パネル１２ｂの裏面（内面）側に配設された第２バックライト１４が点灯した際に第２パネル１２ｂに照射する照射光により、注意を喚起し易い（人の注意を引き付け易い）色である赤色系または橙色系の色で表示させる。本例の第２表示部２ｂでは、上記したように、第２バックライト１４が文字フィルムにおける４つの熟語の各表示領域に対応して４つのバックライト１４ａ，１４ｂ，１４ｃ，１４ｄに分割されているため、第２表示部２ｂは、バックライト１４ａが点灯した際にはその照明光によって「地震」の文字を個別に表示させ、バックライト１４ｂが点灯した際にはその照明光によって「津波」の文字を個別に表示させ、バックライト１４ｃが点灯した際にはその照明光によって「雪崩」の文字を個別に表示させ、バックライト１４ｄが点灯した際にはその照明光によって「警報」の文字を個別に表示させる。
【００２５】
また、本例では、各バックライト１３，１４は、発光ダイオード（ＬＥＤ）と、発光ダイオードに直列に接続されてここに流れる電流を予め規定された電流値に制限するための制限抵抗とで構成されている。
【００２６】
駆動部１５は、一例として、制御ボックス４内に配設された後述の処理部２５から出力される制御信号Ｓａによってオン・オフ制御される不図示の複数のスイッチ素子（例えば、ｎｐｎ型のバイポーラ型トランジスタやｎチャネル電界効果型トランジスタなどの半導体スイッチ素子）で構成されている。本例では一例として、スイッチ素子は、第１バックライト１３、および第２バックライト１４を構成する各バックライト１４ａ，１４ｂ，１４ｃ，１４ｄ毎に個別に設けられている。このため、処理部２５は、第１バックライト１３および各バックライト１４ａ，１４ｂ，１４ｃ，１４ｄに個別に対応する制御信号Ｓａとして、制御信号Ｓａ１，Ｓａ２，Ｓａ３，Ｓａ４，Ｓａ５を出力する。また、スイッチ素子は、対応するバックライトを構成する発光ダイオードとと、この発光ダイオードに接続された制限抵抗とに直列に接続された状態で、制御ボックス４内に配設された後述のバッテリ２２の負極端子と正極端子との間に配設されている。この構成により、駆動部１５では、制御信号Ｓａによってオフ状態からオン状態に移行させられたスイッチ素子に接続された発光ダイオードには、制限抵抗を介してバッテリ２２の充電電圧Ｖｂａｔが印加されることで駆動電流が流れる。これにより、この発光ダイオードで構成されたバックライトが点灯する。
【００２７】
太陽電池パネル３は、一例として図１に示すように、支柱５の上部に取り付けられている。また、太陽電池パネル３は、支柱５の内部に配設された不図示の配線を介して制御ボックス４内に配設された接断スイッチ２１（図２参照）に接続されて、発生した起電力Ｖｓｏを接断スイッチ２１に出力する（同図参照）。
【００２８】
制御ボックス４は、一例として図１に示すように、支柱の下部に取り付けられている。制御ボックス４には、接断スイッチ２１、バッテリ２２、電源部２３、受信部２４および処理部２５が内蔵されている。
【００２９】
接断スイッチ２１は、例えば、リレーや半導体スイッチ素子（本例では一例として、半導体スイッチ素子）で構成されて、太陽電池パネル３と、バッテリ２２、電源部２３、受信部２４、および表示部２の駆動部１５との間に配設されている。接断スイッチ２１は、処理部２５から出力される制御信号Ｓｂによってオン・オフ制御されて、オン状態のときには、バッテリ２２、電源部２３、受信部２４および駆動部１５に対して、太陽電池パネル３からの電力の供給を可能とし、オフ状態のときには、この電力の供給を不可とする。
【００３０】
バッテリ２２は、太陽電池パネル３が起電力Ｖｓｏを発生している状態であって、接断スイッチ２１がオン状態のときに、接断スイッチ２１を経由して供給される起電力Ｖｓｏを蓄電することで、充電電圧Ｖｂａｔを上昇させる。また、バッテリ２２は、接断スイッチ２１がオフ状態のときには、蓄電されている電力（充電電圧Ｖｂａｔ）を、電源部２３、受信部２４および駆動部１５に出力する。また、バッテリ２２は、十分に充電されている状態であれば、太陽電池パネル３からの起電力Ｖｓｏが例えば数日程度供給されない状態が続いたとしても、看板装置１の作動に十分な電圧値の充電電圧Ｖｂａｔを出力し続け得る容量に規定されている。
【００３１】
電源部２３は、オン状態の接断スイッチ２１を経由して太陽電池パネル３から起電力Ｖｓｏが供給されているときにはこの起電力Ｖｓｏに基づいて、太陽電池パネル３から起電力Ｖｓｏが供給されていないときにはバッテリ２２から出力される充電電圧Ｖｂａｔに基づいて、定電圧に制御された作動用電圧Ｖｃｃを生成して処理部２５に出力する。
【００３２】
受信部２４は、例えば、ラジオ放送を受信するためのアンテナおよび受信モジュール（いずれも図示せず）を備えて構成されて、緊急警報信号（例えば、地震警報のための信号や津波警報のための信号や雪崩警報のための信号などの互いの異なる周波数の信号）を選択的に受信する。また、受信部２４は、緊急警報信号を受信したときには、例えば、受信している信号の周波数に基づいて緊急警報の種類（例えば、地震警報、津波警報および雪崩警報）を特定し、緊急警報の種類を示す緊急信号Ｓｃを出力する。
【００３３】
処理部２５は、例えば、作動用電圧Ｖｃｃの供給を受けて作動するＡ／Ｄ変換器およびコンピュータ（いずれも図示せず）を備えて構成されて、受信部２４から出力される緊急信号Ｓｃに基づいて緊急警報の種類を特定する警報特定処理、起電力Ｖｓｏおよび充電電圧Ｖｂａｔの各電圧値を監視する電圧監視処理、およびバッテリ２２に対する充電処理を実行する。また、処理部２５は、表示部２（第１表示部２ａの第１バックライト１３および第２表示部２ｂの第２バックライト１４）に制御信号Ｓａを出力したり、この出力を停止したりする点灯消灯制御を実行する。また、処理部２５は、接断スイッチ２１に対する接断制御を実行する。
【００３４】
点灯消灯制御において処理部２５は、電圧値が一定となるレベル信号を制御信号Ｓａとして出力して、各バックライト１３，１４をスタティック点灯させてもよいが、パルス信号（例えば周波数が数百Ｈｚで、デューティ比が０．５程度のパルス信号）を制御信号Ｓａとして出力して、各バックライト１３，１４をダイナミック点灯させることで、各バックライト１３，１４での消費電力を低減させるのが好ましい。
【００３５】
次に、看板装置１の動作について説明する。
【００３６】
看板装置１では、バッテリ２２の容量が上記のように規定されているため、異常な状態（太陽電池パネル３が連続して数日を超えて起電力Ｖｓｏを出力しない状態）に至らない限りは、太陽電池パネル３からの起電力Ｖｓｏまたはバッテリ２２からの充電電圧Ｖｂａｔが、表示部２の駆動部１５、電源部２３および受信部２４に供給されている。これにより、電源部２３が作動用電圧Ｖｃｃを処理部２５に常時出力していることから、処理部２５は常時作動状態となっており、また受信部２４も常時作動状態となっている。以下において、受信部２４が緊急警報信号を受信していない通常時と、緊急警報信号を受信している緊急時とに分けて、看板装置１の動作を説明する。
【００３７】
最初に、通常時には、処理部２５は、電圧監視処理を実行して、起電力Ｖｓｏおよび充電電圧Ｖｂａｔの各電圧値を監視しつつ、例えば起電力Ｖｓｏがバッテリ２２の最大充電電圧値未満であって、かつ充電電圧Ｖｂａｔを超える電圧値のときには、充電処理を実行する。この充電処理では、処理部２５は、接断スイッチ２１に対してオン状態に移行させる接断制御を実行する。これにより、充電電圧Ｖｂａｔを超える電圧値の起電力Ｖｓｏが太陽電池パネル３からバッテリ２２に供給されるため、バッテリ２２が充電される（バッテリ２２の充電電圧Ｖｂａｔが上昇する）。この場合、処理部２５は、充電電圧Ｖｂａｔの電圧値が最大充電電圧値に達したとき、または起電力Ｖｓｏが充電電圧Ｖｂａｔ以下となったときに、接断スイッチ２１に対してオフ状態に移行させる接断制御を実行する。これにより、充電処理が完了する。
【００３８】
また、処理部２５は、この電圧監視処理において、監視している起電力Ｖｓｏの電圧値が予め規定された電圧しきい値以下となるか否かに基づいて、屋外の明るさが予め規定された基準の明るさ以下となっているか否かを判別する。処理部２５は、起電力Ｖｓｏの電圧値がこの電圧しきい値を超えているときには、屋外が十分に明るい（つまり、上記の昼間の状態である）と判別して、表示部２（第１表示部２ａの第１バックライト１３および第２表示部２ｂの第２バックライト１４）への制御信号Ｓａの出力を停止する点灯消灯制御を実行する。この場合、表示部２の第１表示部２ａでは、第１パネル１２ａの表面に形成された看板情報が、照射される太陽光によって表示される。また、表示部２の第２表示部２ｂでは、第２バックライト１４が点灯されないため、第２パネル１２ｂに形成された緊急情報は表示されない。
【００３９】
一方、処理部２５は、起電力Ｖｓｏの電圧値がこの電圧しきい値以下のときには、屋外が暗い（つまり、上記の夜間の状態である）と判別して、各制御信号Ｓａ１，Ｓａ２，Ｓａ３，Ｓａ４，Ｓａ５のうちの制御信号Ｓａ１のみを表示部２に出力する点灯消灯制御を実行する。この場合、表示部２の駆動部１５は、この制御信号Ｓａ１に基づいて、第１バックライト１３のみを点灯させる。これにより、表示部２の第１表示部２ａでは、第１パネル１２ａの表面に形成された看板情報が、点灯状態の第１バックライト１３から第１パネル１２ａに照射される照射光によって表示される。なお、表示部２の第２表示部２ｂでは、第２バックライト１４が点灯されないため、第２パネル１２ｂに形成された緊急情報は表示されない。
【００４０】
このようにして、通常時には、この看板装置１では、第１表示部２ａの非緊急情報である看板情報（図１での「△△のご用命は○○会社・・・」の文字など）が、昼間は照射される太陽光によって表示され、夜間は点灯状態の第１バックライト１３から照射される照射光によって表示されるため、看板装置１の付近を通過する人に対して常時（２４時間）、看板情報を表示することが可能となっている。また、この看板装置１では、通常時には、第２パネル１２ｂの緊急情報については、上記したように昼夜を問わず、表示させないようにすることが可能となっている。
【００４１】
次に、緊急時には、受信部２４は、緊急警報信号を受信して、緊急警報の種類（例えば、地震警報、津波警報および雪崩警報）を示す緊急信号Ｓｃを処理部２５に出力する。処理部２５は、この緊急信号Ｓｃを入力して警報特定処理を実行し、緊急警報の種類を特定する。また、処理部２５は、この特定した緊急情報の種類に基づいて表示部２に対する点灯消灯制御を実行する。
【００４２】
具体的には、処理部２５は、特定した緊急警報の種類が地震警報のときには、昼夜を問わず、各制御信号Ｓａ１，Ｓａ２，Ｓａ３，Ｓａ４，Ｓａ５のうちの制御信号Ｓａ１，Ｓａ２，Ｓａ５のみを表示部２に出力する点灯消灯制御を実行して、第１バックライト１３と、第２バックライト１４のうちのバックライト１４ａ，１４ｄとを点灯させることで、第１表示部２ａの看板情報と、第２パネル１２ｂの緊急情報のうちの「地震」および「警報」の２つの熟語とを表示させる。この際に、処理部２５は、各制御信号Ｓａ１，Ｓａ２，Ｓａ５を、例えば、０．５秒だけ出力した後に０．５秒だけ停止するという出力態様で繰り返し出力することにより、上記の看板情報と、緊急情報（「地震」および「警報」の各熟語）とを互いに同期した状態で点灯・消灯（つまり、点滅）させることを繰り返す。なお、この場合の緊急情報の表示状態を図３に示す。
【００４３】
また、処理部２５は、特定した緊急警報の種類が津波警報のときには、昼夜を問わず、各制御信号Ｓａ１，Ｓａ２，Ｓａ３，Ｓａ４，Ｓａ５のうちの制御信号Ｓａ１，Ｓａ３，Ｓａ５のみを表示部２に出力する点灯消灯制御を実行して、第１バックライト１３と、第２バックライト１４のうちのバックライト１４ｂ，１４ｄとを点灯させることで、第１表示部２ａの看板情報と、第２パネル１２ｂの緊急情報のうちの「津波」および「警報」の２つの熟語とを表示させる。この際も、処理部２５は、上記した地震警報のときと同様にして、各制御信号Ｓａ１，Ｓａ３，Ｓａ５を出力することにより、上記の看板情報と、緊急情報（「津波」および「警報」の各熟語）とを互いに同期した状態で点灯・消灯させることを繰り返す。この場合の緊急情報の表示状態を図４に示す。
【００４４】
また、処理部２５は、特定した緊急警報の種類が雪崩警報のときには、昼夜を問わず、各制御信号Ｓａ１，Ｓａ２，Ｓａ３，Ｓａ４，Ｓａ５のうちの制御信号Ｓａ１，Ｓａ４，Ｓａ５のみを表示部２に出力する点灯消灯制御を実行して、第１バックライト１３と、第２バックライト１４のうちのバックライト１４ｃ，１４ｄとを点灯させることで、第１表示部２ａの看板情報と、第２パネル１２ｂの緊急情報のうちの「雪崩」および「警報」の２つの熟語とを表示させる。この際も、処理部２５は、上記した地震警報のときと同様にして、各制御信号Ｓａ１，Ｓａ４，Ｓａ５を出力することにより、上記の看板情報と、緊急情報（「雪崩」および「警報」の各熟語）とを互いに同期した状態で点灯・消灯させることを繰り返す。この場合の緊急情報の表示状態を図５に示す。
【００４５】
このようにして、緊急時には、この看板装置１では、受信部２４において受信した緊急警報信号で示される緊急警報の種類を示す文字（熟語）が表示部２の第２表示部２ｂに、第１表示部２ａの非緊急情報である看板情報と共に表示されるため、看板情報を表示するという看板機能を常時発揮しつつ、看板装置１の付近にいる人に緊急情報を表示することが可能となっている。しかも、この看板装置１では、第２表示部２ｂに表示される緊急警報の種類を示す文字だけでなく、パネル１２全体における多くの領域を占める広さ（つまり、表示部２全体における多くの領域を占める広さ）の第１表示部２ａについても通常時とは異なり、点灯・消灯を繰り返す（付近にいる人が昼間でも点滅状態を認識し得る明るさ（輝度）で、点滅させる）ため、看板装置１の付近にいる人の注意を看板装置１の表示部２に十分に引き付けて、緊急警報（緊急事態の発生とその種類）をより確実に伝達することが可能となっている。
【００４６】
なお、緊急時においても、処理部２５は、上記した通常時のときと同様にして、電圧監視処理を実行しつつ、充電処理を実行する。
【００４７】
このように、この看板装置１では、受信部２４が緊急警報信号を受信したときには、第１表示部２ａの第１バックライト１３および第２表示部２ｂの第２バックライト１４に対して点灯・消灯を繰り返す点灯消灯制御を実行する。したがって、この看板装置１によれば、広い面積の第１表示部２ａが点灯・消灯を繰り返すことにより、看板機能を常時発揮しつつ、夜間だけでなく昼間においても看板装置１の付近にいる人の注意を看板装置１の表示部２（第１表示部２ａおよび第２表示部２ｂ）に十分に引き付けて、付近の人に緊急警報をより確実に伝達することができる。
【００４８】
また、この看板装置１によれば、第１表示部２ａおよび第２表示部２ｂが同期した状態で点灯・消灯を繰り返すため、常時点灯させる態様と比較して、看板装置１の付近にいる人の注意を看板装置１の表示部２（第１表示部２ａおよび第２表示部２ｂ）により確実に引き付けることができる。なお、同期して点灯・消灯を繰り返す態様には、第１表示部２ａの点灯開始のタイミングと第２表示部２ｂの点灯開始のタイミングとが一致し、かつ第１表示部２ａの消灯開始のタイミングと第２表示部２ｂの消灯開始のタイミングとが一致するという態様だけでなく、第１表示部２ａの点灯開始のタイミングから所定時間だけ遅れて第２表示部２ｂが点灯を開始し、かつ第１表示部２ａの消灯開始のタイミングから同じ所定時間だけ遅れて第２表示部２ｂが消灯を開始する態様も含まれるものとする。
【００４９】
また、この看板装置１によれば、第２表示部２ｂは、第２バックライト１４が点灯した際に緊急情報を、注意を喚起し易い（人の注意を引き易い）色である赤色系または橙色系の色で表示させるため、付近の人に緊急警報を一層確実に伝達することができる。
【００５０】
なお、この看板装置１では、緊急時において、第１表示部２ａおよび第２表示部２ｂを同期させて点灯・消灯させる好ましい構成を採用しているが、第１表示部２ａおよび第２表示部２ｂを非同期で点灯・消灯させる構成であってもよい。また、看板装置１では、緊急情報を、注意を喚起し易い色である赤色系または橙色系の色で表示させる好ましい構成を採用しているが、注意を喚起し得る色である限り、他の色（例えば、鮮やかな紫色とか水色など）とすることもできる。
【００５１】
また、この看板装置１では、緊急警報信号の受信時に処理部２５が実行する第１バックライト１３に対する点灯・消灯を繰り返す制御において（つまり、緊急警報信号の受信時に第１表示部２ａを点灯・消灯（点滅）させる場合において）、夜間の点灯時と昼間の点灯時の各輝度（明るさ）を同じにする構成を採用することもできるが、太陽光が照射されている昼間においても第１表示部２ａが点滅状態であることを付近の人により確実に認識させる（緊急警報をより一層確実に伝達させる）ようにするために、夜間の点灯時の輝度よりも昼間の点灯時の輝度を高くして（つまり、高輝度で）点灯させる構成を採用するのが好ましい。また、夜間の点灯時の輝度よりも昼間の点灯時の輝度を高くして（高輝度で）点灯させるこの構成は、逆の見方をすれば、昼間の点灯時の輝度よりも夜間の点灯時の輝度を低くして（低輝度で）点灯させる構成でもある。したがって、この構成によれば、夜間の点灯時と昼間の点灯時の各輝度（明るさ）を同じにする構成と比較して、昼間での第１表示部２ａの点滅状態を付近の人に対してより確実に認識させることを確保しつつ、夜間の点灯・消灯時の消費電力を低減することができる。
【００５２】
また、この看板装置１では、第１表示部２ａと比較して狭い面積の第２表示部２ｂであっても、緊急情報をより多くの人に伝達し得るように、表示部２における上側の領域に第２表示部２ｂを配置する構成を採用しているが、図示はしないが、表示部２における左右のいずれかの領域や下側の領域に第２表示部２ｂを配置する構成とすることもできる。また、看板装置１では、表示部２を縦長とする構成を採用しているが、横長とする構成であってもよい。また、看板装置１では、立設した１本の支柱５に表示部２等を直接取り付ける構成を採用しているが、図示はしないが、立設した２本の支柱に表示部２を掛け渡す構成や、１本の支柱の上部に水平方向に別の支柱を取り付け、この別の支柱に表示部２を吊り下げる構成を採用してもよいのは勿論である。また、第２表示部２ｂに表示させる緊急情報は、受信部２４で受信する緊急警報信号で示される内容に応じて、「地震」、「津波」および「雪崩」以外の文字を表示してもよいのは勿論である。
【００５３】
また、この看板装置１では、受信部２４は、ラジオ放送を受信するためのアンテナおよび受信モジュールを備えて、ラジオ放送の周波数帯域で送信される無線信号である緊急警報信号を受信する構成を採用しているが、テレビ放送の周波数帯域で送信される緊急警報信号を受信する構成や、インターネットを介して送信される緊急警報信号を受信する構成や、携帯電話の周波数帯域で送信される緊急警報信号を受信する構成を採用することもできる。
【００５４】
また、この看板装置１では、緊急情報として、「地震」や「津波」や「雪崩」の文字だけでなく、これらが発生したことをより明確に表示するために「警報」の文字も併せて表示する好ましい構成を採用しているが、「警報」の文字に代えて、「発生」などの他の文字を併せて表示する構成を採用することもできる。また、この看板装置１では、緊急情報として、上記したように「地震」、「津波」および「雪崩」の熟語に加えて、３つの緊急状態を報知する言葉として共通する「警報」との熟語を第２表示部２ｂに表示する構成を採用して、緊急情報の総文字数の増加を抑制し、これによって小さな第２表示部２ｂ内での各文字をできる限り大きくし得るようにしているが、これに限定されるものではなく、緊急情報の総文字数の増加が許容される場合には、「地震警報」、「津波警報」および「雪崩警報」の各四字熟語を表示させる構成とすることもできる。
【符号の説明】
【００５５】
１  看板装置
２  表示部
２ａ  第１表示部
２ｂ  第２表示部
１３  第１バックライト
１４，１４ａ，１４ｂ，１４ｃ，１４ｄ  第２バックライト
２４  受信部
２５  処理部
【要約】
【課題】看板機能を常時発揮させつつ人の注意を十分に引き付け得る態様で緊急情報を表示させる。
【解決手段】表面の看板情報について昼間においては照射される太陽光によって表示させ夜間においては内蔵された第１バックライト１３から照射される照射光によって表示させる第１表示部２ａと、第１表示部２ａに並設されると共に内蔵された第２バックライト１４からの照射光によって緊急情報を表示させる第２表示部２ｂと、緊急警報信号を受信する受信部および各ライト１３，１４に対する点灯消灯制御を実行する処理部が内蔵された制御ボックス４とを備え、処理部は、受信部が緊急警報信号を受信していないときには、ライト１４に対しては常時消灯させる制御を実行すると共に、ライト１３に対しては昼間は消灯させ、かつ夜間は点灯させる制御を行い、受信部が緊急警報信号を受信したときには、各ライト１３，１４に対して点灯・消灯を繰り返す制御を行う。
【選択図】図１【図１】
0005931264.tif 000002
【図２】
0005931264.tif 000003
【図３】
0005931264.tif 000004
【図４】
0005931264.tif 000005
【図５】
0005931264.tif 000006